(57)【要約】      （修正有）【課題】胸を開くストレッチ動作を行うことができ、マッサージ機への着座するときやマッサージを行わないときに、押圧部が邪魔にならないマッサージ機を提供する。【解決手段】使用者が着座する座部と、この座部の後方に設けられ使用者の胴体を支持する支持部とを有するマッサージ機である。前記支持部は、使用者の胴体における肩部の上方に位置し、肩部を前方から押圧する左右対の第１押圧部２９と、使用者の胴体を後方から押圧する左右対の第２押圧部３０とを有し、前記第２押圧部３０は、前記第１押圧部２９よりも左右方向内側を押圧する。【選択図】図８
2011125590.tif 000002
【特許請求の範囲】
【請求項１】
使用者が着座する座部と、この座部の後方に設けられ使用者の胴体を支持する支持部とを有するマッサージ機において、
前記支持部は、
使用者の胴体における肩部の上方に位置し、肩部を前方から押圧する左右対の第１押圧部と、
使用者の胴体を後方から押圧する左右対の第２押圧部とを有し、
前記第２押圧部は、前記第１押圧部よりも左右方向内側を押圧することを特徴とするマッサージ機。
【請求項２】
前記第２押圧部は、前記第１押圧部よりも左右方向内側よりに位置していることを特徴とする請求項１に記載のマッサージ機。
【請求項３】
前記第１押圧部は、後端部側を基部とし、前端部側を展開部として上方から下方に向けて展開するよう構成され、
前記第２押圧部は、上端部側を基部とし、下端部側を展開部として後方から前方に向けて展開するよう構成されていることを特徴とする請求項１又は２に記載のマッサージ機。
【請求項４】
前記第２押圧部は、左右方向外側を基部とし、左右方向内側を展開部として後方から前方に向けて展開するよう構成されていることを特徴とする請求項１又は２に記載のマッサージ機。
【請求項５】
前記支持部は、
使用者の胴体における肩部を上方から押圧する第３押圧部と、
使用者の首部を左右から押圧する第４押圧部と、を更に有していることを特徴とする請求項１〜４のいずれかに記載のマッサージ機。
【請求項６】
前記各押圧部の動作を制御する制御部を有し、
前記制御部は、少なくとも第３押圧部と他の押圧部とを独立して制御するよう構成されていることを特徴とする請求項５に記載のマッサージ機。
【請求項７】
前記支持部は、背凭れ部と、該背凭れ部に設けられ上下方向に可動である可動部とを有し、
前記各押圧部は可動部に設けられていることを特徴とする請求項１〜６のいずれかに記載のマッサージ機。
【発明の詳細な説明】
【技術分野】
【０００１】
本発明は、マッサージ機に関し、胸を開くストレッチ動作を行うことができるマッサージ機に関する。
【背景技術】
【０００２】
従来、マッサージ機として、座部と背凭れ部とを有し、これらにエアセルや揉み玉などの施療具が設けられている椅子型マッサージ機が知られている。このようなマッサージ機は、例えば、背凭れ部に設けた揉み玉を上下に移動させつつ揉み動作や叩き動作をさせることによって、使用者に対してマッサージを行うことができる。また、背凭れ部にマッサージ機能を有した枕部を設けて、背凭れ部に凭れた使用者の頭部を支持しつつ、枕部に設けたエアセルにより、使用者の首部や肩部に押圧マッサージを行う椅子型マッサージ機が知られている（例えば、特許文献１又は２参照）。
【先行技術文献】
【特許文献】
【０００３】
【特許文献１】特開２００９−４５４１６号公報
【特許文献２】特開２００４−３３５８３号公報
【発明の概要】
【発明が解決しようとする課題】
【０００４】
上記特許文献１に開示されたマッサージ機は、使用者の肩部の上方に位置するエアセルにより、肩部を下方に向けて押圧し、肩部の後方に位置するエアセルにより、肩部を前方に向けて押圧することができる。しかし、肩部の上方に位置するエアセルは、肩部を前方から押圧することができないため、肩部の後方に位置するエアセルにより上半身を前方に押圧すると、使用者が前方に押し出されてしまい、高いマッサージ効果を得ることができない。
また、上記特許文献２に開示されたマッサージ機は、使用者の肩部の前方及び後方に位置するエアセルにより、肩部を前後から挟み込むように押圧することができる。しかし、肩部の前方に位置するエアセルと肩部の後方に位置するエアセルは、左右方向における位置が一致しているため、胸を開くストレッチ動作を行うことができない。また、肩部の前方にエアセルが存在しているため、椅子型マッサージ機に着座するときやマッサージを行わないときに、エアセルが邪魔になってしまう。
本発明は、このような問題を解消するためになされたものであり、胸を開くストレッチ動作を行うことができ、マッサージ機への着座するときやマッサージを行わないときに、押圧部が邪魔にならないマッサージ機を提供することを目的とする。
【課題を解決するための手段】
【０００５】
本発明のマッサージ機は、使用者が着座する座部と、この座部の後方に設けられ使用者の胴体を支持する支持部とを有するマッサージ機において、前記支持部は、使用者の胴体における肩部の上方に位置し、肩部を前方から押圧する左右対の第１押圧部と、使用者の胴体を後方から押圧する左右対の第２押圧部とを有し、前記第２押圧部は、前記第１押圧部よりも左右方向内側を押圧することを特徴とする。
このような構成とすることにより、第１押圧部により使用者の両肩部を前方から押圧して支持部に保持した状態で、第２押圧部により胴体における両肩部より左右方向内側を後方から押圧するので、胸を左右に開くストレッチ動作を行うことができる。しかも、肩部を前方から押圧する第１エアセルは、肩部の上方に位置しているので、マッサージ機に着座するときやマッサージを行わないときに、第１押圧部が邪魔になってしまうことを防止できる。
【０００６】
この場合、前記第２押圧部は、前記第１押圧部よりも左右方向内側よりに位置していることが好ましい。更に、前記第１押圧部は、後端部側を基部とし、前端部側を展開部として上方から下方に向けて展開するよう構成され、前記第２押圧部は、上端部側を基部とし、下端部側を展開部として後方から前方に向けて展開するよう構成されていることが好ましい。また、前記第２押圧部は、左右方向外側を基部とし、左右方向内側を展開部として後方から前方に向けて展開するよう構成されていてもよい。
【０００７】
また、前記支持部は、使用者の胴体における肩部を上方から押圧する第３押圧部と、使用者の首部を左右から押圧する第４押圧部と、を更に有していることが好ましい。この場合、前記各押圧部の動作を制御する制御部を有し、前記制御部は、少なくとも第３押圧部と他の押圧部とを独立して制御するよう構成されていることが好ましい。
このような構成とすることにより、第１押圧部により使用者の両肩部を前方から押圧して支持部に保持した状態で、第３押圧部により胴体を下方に押し下げるため、肩部を上方に牽引するストレッチ動作を行うことができる。また、第４押圧部により使用者の首部を左右から押圧して支持部に保持した状態で、第３押圧部により胴体を下方に押し下げるため、首部を上方に牽引するストレッチ動作を行うことができる。
【０００８】
また、前記支持部は、背凭れ部と、該背凭れ部に設けられ上下方向に可動である可動部とを有し、前記各押圧部は可動部に設けられていることが好ましい。
このような構成とすることにより、第１、第２、及び第４押圧部により使用者の両肩部及び首部を可動部に保持した状態で、第３押圧部により胴体を下方に押し下げ、且つ、第３押圧部の下方に作用する押圧力の反力により可動部を上方に押し上げるため、肩部及び首部を上方に牽引する距離を大きくとることができる。
【発明の効果】
【０００９】
本発明によれば、胸を左右に開くストレッチ動作を行うことができ、且つ、マッサージ機への着座するときやマッサージを行わないときに、押圧部が邪魔になってしまうことを防止できる。
【図面の簡単な説明】
【００１０】
【図１】本発明の一実施形態に係るマッサージ機の前方斜視図である。
【図２】本発明の一実施形態に係るマッサージ機の機能ブロック図である。
【図３】図１に示すマッサージ機の背凭れ部の後方斜視図である。
【図４】図１に示すマッサージ機の枕部の前方から見た平面図である。
【図５】図１に示すマッサージ機の枕部の下方から見た平面図である。
【図６】図１に示すマッサージ機の枕部の左側方から見た平面図である。
【図７】図１に示すマッサージ機の枕部の後方から見た平面図である。
【図８】使用者の上方から見た平面図であり、第１押圧部と第２押圧部とによる胸を開くストレッチ動作を説明する図である。
【図９】使用者の左側方から見た平面図であり、第３押圧部が押圧する位置を説明する図である。
【図１０】他の形態１の枕部の前方から見た平面図である。
【図１１】他の形態２の枕部の前方から見た平面図である。
【発明を実施するための形態】
【００１１】
［全体構成］
以下、本発明の一実施形態に係るマッサージ機１の全体構成について、図面に基づいて説明する。
図１は本発明の一実施形態に係るマッサージ機１の前方斜視図である。図２は本発明の一実施形態に係るマッサージ機１の機能ブロック図である。
図１に示す通り、このマッサージ機１は、主として使用者が着座する座部２と、この座部２の後方に設けられて使用者の上半身を支持する支持部３と、座部２の前部に設けられて使用者の脚部（ふくらはぎ部）及び／又は足部（足首より足先側）を支持するフットレスト４と、座部２の左右両側に設けられて使用者の腕部を支持する肘掛け部５とにより椅子型に構成されている。この支持部３は、使用者の胴体を支持する背凭れ部６と、背凭れ部６の前面上部に設けられ少なくとも使用者の首部を支持する枕部７とを有している。なお、以下の説明において、左右等の方向は、座部２に着座した使用者から見た方向であり、また、背凭れ部６においては、その幅方向を「左右方向」とし、その厚さ方向を「前後方向」とし、背凭れ部６の腰部から頭部へ向かう方向を「上下方向」とし、左右方向において背凭れ部６の中央に向かう側を「内側」、外側に向かう側を「外側」とする。
【００１２】
図２に示す通り、背凭れ部６は、電動モータ、流体圧シリンダ、又はエアセル等よりなるアクチュエータ８により左右水平方向の軸回りに座部２の後部に対してリクライニング可能であり、図１に示す起立状態から後方へ傾倒した略水平状態までの間において任意の位置で停止することができる。また、図２に示す通り、フットレスト４は、背凭れ部６と同様に、電動モータ、流体圧シリンダ、又はエアセル等によりなるアクチュエータ９により左右水平方向の軸回りに座部２の前部に対して上下回動可能であり、図１に示す垂下状態から上方へ回動した略水平状態までの間において任意の位置で停止できる。
【００１３】
図１に示す通り、背凭れ部（支持部３）６の内部には、使用者の胴体後面に揉み動作や叩き動作等の機械的刺激を与える上下で１対とされた左右１対の揉み玉１０ａを有する施療ユニット１０が設けられている。これら上下の揉み玉１０ａは、くの字状のアーム１０ｂに設けられている。また、施療ユニット１０は、枕部７が有する後述する左右対の第１押圧部２９よりも左右方向内側において、背凭れ部６の内部に設けられた上下方向に延設された左右一対のガイドレール（図示せず）に沿って上下方向に昇降動作可能とされている。また、施療ユニット１０は、背凭れ部６内に設けられた進退機構（図示せず）によって前後方向に進退動作可能とされている。揉み動作、叩き動作、昇降動作、及び進退動作は、それぞれ電動モータやエアセル等よりなる揉み駆動部１１、叩き駆動部１２、昇降駆動部１３、及び進退駆動部１４による駆動によって行われる（図２参照）。
【００１４】
また、図１に示す通り、座部２は、臀部及び大腿部に対応する位置に設けられ、臀部及び大腿部を下方から押圧する左右対の座部用エアセル１５を有している。背凭れ部６は、背中と腰部に対応する位置に設けられ、背中及び腰部を後方から押圧する施療ユニット１０を挟んで左右対の背中用エアセル１６、及び左右対の腰部用エアセル１７を有している。フットレスト４は、脚部に対応する位置に設けられ、脚部を左右から押圧する左脚用エアセル１８Ｌ（１８）、及び右脚用エアセル１８Ｒ（１８）を有している。肘掛け部５は、前腕部に対応する位置に設けられ、前腕部を下方から押圧する左腕用エアセル１９Ｌ（１９）、及び右腕用エアセル１９Ｒ（１９）を有している。これら各エアセル１５〜１９は、座部２の下方に設けられたエア給排気装置２０によるエアの給排気によって膨張収縮可能とされている（図２も参照）。
【００１５】
図１及び図２に示す通り、座部２の下方には、前述した各エアセル１５〜１９及び枕部７に設けられた後述するエアセルよりなる各押圧部２９〜３２に対してエアを給排気するポンプ及びバルブ等を有する給排気装置２０と、施療ユニット１０、各アクチュエータ８，９、及び前記給排気装置２０の駆動制御を行うＣＰＵ、メモリ（ＲＡＭ）、及び記憶部（ＲＯＭ）を有するマイコン等よりなる制御部２１とが設けられている。この制御部２１は、使用者が操作する操作部２２に電気的に接続されており、操作部２２から入力される入力信号に基づいて施療ユニット１０、各アクチュエータ８，９、及び給排気装置２０を駆動制御するための出力信号を出力する。なお、制御部２１は、各エアセル１５〜１９の動作（膨張収縮）を独立して制御可能であり、後述する各押圧部２９〜３２の動作（膨張収縮）も独立して制御可能であるよう構成されている。
【００１６】
［支持部の構成］
以下、本発明の一実施形態に係るマッサージ機１の支持部３の構成について、図面に基づいて説明する。
図３は図１に示すマッサージ機１の背凭れ部６の後方斜視図である。図４は図１に示すマッサージ機１の枕部７の前方から見た平面図である。図５は図１に示すマッサージ機１の枕部７の下方から見た平面図である。図６は図１に示すマッサージ機１の枕部７の左側方から見た平面図である。図７は図１に示すマッサージ機１の枕部７の後方から見た平面図である。図８は使用者の上方から見た平面図であり、第１押圧部２９と第２押圧部３０とによる胸を開くストレッチ動作を説明する図である。図９は使用者の左側方から見た平面図であり、第３押圧部３１が押圧する位置を説明する図である。
【００１７】
前述した通り、支持部３は、使用者の胴体を支持する背凭れ部６と、背凭れ部６の前面上部に配置され、使用者の首部及び頭部（主に後頭部）を支持する上下方向に可動である枕部７とにより構成されている。図１及び図３に示す通り、枕部７の後面上部には、上下方向に長寸の可撓性を有するレザー等よりなるエプロン２３が設けられ、このエプロン２３は、枕部７への取り付け位置から背凭れ部６の上面を超して後面へ渡って配置され、エプロン２３の先端部には左右方向に延びる錘２４が設けられている。背凭れ部６の上面には、エプロン２３を前後方向に挿通可能とするための前後方向に開口する挿通部２５が設けられている。エプロン２３がこの挿通部２５に挿通されるとともに、その先端が錘２４によって鉛直下向きに垂れ下がった状態となっている。これにより、枕部７を上方へ付勢する付勢力が生じ、枕部７の自重と当該付勢力との均衡が保たれ、枕部７の上下方向への位置決めが可能となっている。また、この枕部７は、上方へ押し上げ、又は下方へ引き下げることにより上下方向に移動させることができ、また、枕部７に設けられた後述する押圧部２９〜３２が使用者を押圧することによる反力によって上下方向に移動させることもできる。すなわち、本実施形態において、この枕部７はマッサージ実行中において上下方向に可動する可動部として機能する。
【００１８】
図１に示す通り、枕部７は、高いクッション性を有するウレタン、スポンジ、又は発泡スチロール等により構成される内装材（後述する中央部２７と側部２８）がカバー部材２６で覆われており、全体として左右方向に長く形成されている。以下、支持部３の内部構造について、図４〜図７に基づいて詳細に説明する。なお、図４〜図７に示す枕部においては、視認性を考慮してカバー部材２６及びエプロン２３の図示を省略している。枕部７は、使用者の首部及び頭部を支持する中央部２７と、中央部２７の左右両側に設けられ使用者の胴体における両肩部の上方に位置する左右対の側部２８とにより構成されており、中央部２７と両側部２８は、左右方向に連続して一体に構成されている。
【００１９】
中央部２７は、使用者の首部及び頭部を支持する支持面を有しており、後頭部から首部の背面にかかる部分に対向する後部支持面２７ａと、後部支持面２７ａの左右両端部から前方に向かって立設され、首部の左右両側面に対向する側部支持面２７ｂとにより構成されている。側部２８は、使用者の肩部の上面に対向する肩施療面２８ａと、前方、上方、及び左右外側方にかけてアール状の曲面を有する表面２８ｂとにより構成されている。また、中央部２７と側部２８は、背凭れ部６の前面に沿って当接される平面状の背面７ａを有している（図７参照）。
【００２０】
［側部の構成］
左右対の側部２８は、その肩施療面２８ａに取り付けられて使用者の胴体における肩部を前方から押圧する第１押圧部２９と、同じく肩施療面２８ａに取り付けられて使用者の胴体を後方から押圧する第２押圧部３０と、同じく肩施療面２８ａに取り付けられて使用者の胴体における肩部を上方から押圧する第３押圧部３１とを有している。第１押圧部２９、第２押圧部３０、及び第３押圧部３１は、前述したエア給排気装置２０によるエアの給排気によって膨張収縮するエアセルにより構成されている。また、側部２８は、その下方後部に、第２押圧部３０を後方から支持して第２押圧部３０の前方への膨張を促す合成樹脂等よりなる比較的硬質の支持板２８ｃを有している。この支持板２８ｃは、前後方向に向く面を有し、前後方向から見て第２押圧部３０と略同一の形状に構成されている（図７参照）。
【００２１】
この第１押圧部２９は、その押圧面が肩施療面に沿って設けられており、その後端部側が展開不能である基部２９ａとして肩施療面２８ａに固着されており、その前端部側が展開可能である展開部２９ｂとして胴体における肩部の上方から下方に向けて、図６に示す矢視ａの方向に展開するよう構成されている。
また、第２押圧部３０は、その押圧面が肩施療面２８ａと略直交するよう設けられており、その上端部側が展開不能である基部３０ａとして肩施療面２８ａに固着されており、その下端部側が展開可能である展開部３０ｂとして胴体の後方から前方に向けて、図６に示す矢視ｂの方向に展開するよう構成されている。しかも、第２押圧部３０は、第１押圧部２９よりも左右方向内側に位置して設けられており、第２押圧部３０は、第１押圧部２９よりも胴体の左右方向内側を押圧することとなる。より具体的には、第２押圧部３０は、第１押圧部２９に対して左右方向内側に向かって傾斜して設けられており、前記両押圧部２９，３０は、押圧時（膨張時）において第２押圧部３０の押圧面が、第１押圧部２９の押圧面よりも左右方向内側に位置するよう構成されている。なお、第２押圧部３０は、肩施療面２８ａに代えて支持板２８ｃの前面にその基部３０ａが固着されたものとしてもよい。
【００２２】
従って、図８に示す通り、エア給排気装置２０から第１押圧部２９及び第２押圧部３０にエアが供給されると、第１押圧部２９により胴体の外側付近を前方から後方へ向けて、矢視ｃの方向に押圧して枕部７に保持し、第２押圧部３０により胴体の内側付近を後方から前方へ向けて、矢視ｄの方向に押圧することとなり、胸を左右に開くストレッチ動作を行うことができる。また、第１押圧部２９と第２押圧部３０とによって、使用者の肩部を前後から挟み込む挟み揉み動作を行うことができる。
【００２３】
また、第３押圧部３１は、その押圧面が肩施療面に対して略平行、又はその押圧面が前端部側から後端部側に向かって下方に傾斜するよう設けられており、その前端部側が展開不能である基部３１ａとして肩施療面２８ａに固着されており、その後端部側が展開可能である展開部３１ｂとして、胴体における肩部の上方乃至後方から下方乃至前方に向けて、矢視ｅの方向に展開するよう構成されている（図９参照）。また、第３押圧部３１は、第１押圧部２９及び第２押圧部３０よりも左右方向内側に位置して設けられており、第３押圧部３１は、第１押圧部２９及び第２押圧部３０よりも胴体の左右方向内側を押圧することとなる。
【００２４】
従って、図９に示す通り、エア給排気装置２０から第３押圧部３１にエアが供給されると、第３押圧部３１により肩部における上部、後部、及び上部から後部に連なる部分に対して連続して押圧することとなり、肩部の上部から後部にかけたアール形状に沿って押圧（マッサージ）することができる。また、上部から後部に連なる部分に存在する「肩井」と称される肩凝りに施療作用のあるツボＰを効果的に刺激することができる。また、第３押圧部３１は、肩部の上方に位置する第１押圧部２９よりも左右方向内側に位置しているため、肩部における左右方向内側付近（首部の付け根付近）を下方へ押圧することとなり、使用者の胴体を効果的に下方へ押し下げることができる。
【００２５】
［中央部の構成］
中央部２７は、その後部支持面２７ａに取り付けられて、使用者の首部を左右から挟むように押圧する左右対の第４押圧部３２を有している。第４押圧部３２は、第１〜第３押圧部２９〜３１と同様に、エア給排気装置２０によるエアの給排気によって膨張収縮するエアセルにより構成されている。この第４押圧部３２は、その押圧面が首部の形状に沿うように、その左右外端部側から左右内端部側に向かって後方に傾斜するよう設けられており、後部支持面２７ａ及び側部支持面２７ｂの少なくとも一部を前方から覆う範囲に位置している。また、第４押圧部３２は、その左右内端部側が展開不能である基部３２ａとして後部支持面２７ａに固着されており、その左右外端部側が展開可能である展開部３２ｂとして首部の後方から側方に向けて展開するよう構成されている。従って、エア給排気装置２０から第４押圧部３２にエアが供給されると、第４押圧部３２により首部を左右から押圧して枕部７に保持するとともに、首部を左右から挟み込む挟み揉み動作を行うことができる。
【００２６】
［ストレッチ動作（その１）］
前述した通り、第１押圧部２９及び第２押圧部３０にエアを供給すると、第１押圧部２９により胴体の外側付近を前方から後方へ向けて押圧して枕部７に保持し、第２押圧部３０により胴体の内側付近を後方から前方へ向けて押圧して、胸を左右に開くストレッチ動作を行うことができる。
あるいは、対の背中用エアセル１６を対の第１押圧部２９よりも左右方向内側に位置して設けたものとした場合、第１押圧部２９及び背中用エアセル１６にエアを供給すると、第１押圧部２９により胴体の外側付近を前方から後方へ向けて押圧して枕部７に保持し、背中用エアセル１６により胴体の内側付近を後方から前方へ向けて押圧して、胸を左右に開くストレッチ動作を行うことができる。
あるいは、左右対の第１押圧部にエアを供給し、進退駆動部１４を駆動して施療ユニット１０を前方へ移動させると、第１押圧部２９により胴体の外側付近を前方から後方へ向けて押圧して枕部７に保持し、施療ユニット１０が有する揉み玉１０ａにより胴体の内側付近を後方から前方へ向けて押圧して、胸を左右に開くストレッチ動作を行うことができる。
［ストレッチ動作（その２）］
また、第１押圧部２９及び第２押圧部３０にエアを供給して肩部を枕部に保持した状態で、第３押圧部３１にエアを供給して胴体を下方に押し下げると、肩部を上方に牽引するストレッチ動作を行うことができる。また、第４押圧部３２にエアを供給して首部を枕部に保持した状態で、第３押圧部３１にエアを供給して胴体を下方に押し下げると、首部を上方に牽引するストレッチ動作を行うことができる。あるいは、第１押圧部２９、第２押圧部３０、及び第４押圧部３２に同時にエアを供給して肩部及び首部を枕部７に保持した状態で、第３押圧部３１にエアを供給して胴体を下方に押し下げると、肩部と首部を同時に上方に牽引するストレッチ動作を行うことができる。
【００２７】
以下、本発明の一実施形態に係るマッサージ機１における、他の形態１に変形した枕部４０の構成について図面に基づいて説明する。
図１０は他の形態１の枕部４０の前方から見た平面図である。なお、以下に説明する形態において、上述した枕部７と共通する構成については同符号を付してその説明を省略する。
具体的には、第２押圧部４１の構成が異なっており、この第２押圧部４１は、その押圧面が肩施療面２８ａと略直交するよう設けられており、その左右方向外側が展開不能である基部４１ａとして支持板２８ｃに固着されており、その左右方向内側が展開可能である展開部４１ｂとして胴体の後方から前方に向けて展開するよう構成されている。このように構成することにより、第２押圧部４１は、第２押圧部４１を第１押圧部２９よりも左右方向内側よりに位置させることなく、第１押圧部よりも胴体における左右方向内側を後方から押圧することができる。従って、エア給排気装置２０から第１押圧部２９及び第２押圧部４１にエアが供給されると、第１押圧部２９により胴体の外側付近を前方から後方へ向けて押圧して枕部７に保持し、第２押圧部４１により胴体の内側付近を後方から前方へ向けて押圧することとなり、胸を左右に開くストレッチ動作を行うことができる。しかも、第２押圧部４１は、展開部４１ｂが左右方向内側から左右方向外側に向かって展開するよう胴体を押圧するので、より効果的に胸を左右に開くことができる。
【００２８】
以下、本発明の一実施形態に係るマッサージ機１における、他の形態２に変形した枕部５０の構成について図面に基づいて説明する。
図１１は他の形態２の枕部５０の前方から見た平面図である。なお、以下に説明する形態において、上述した枕部７又は枕部４０と共通する構成については同符号を付してその説明を省略する。
具体的には、上述した枕部７又は枕部４０が有する構成に加えて、エプロン２３と同じ素材の可撓性を有するレザー等よりなる下エプロン５１が、枕部５０の背面７ａにおける下縁に設けられている。この下エプロン５１は、背凭れ部６の前面へ載せられ、使用者が背凭れ部６に凭れかかると、使用者と背凭れ部６との間に挟まれるようになっている。従って、枕部５０の下エプロン５１が、使用者と背凭れ部６との間に挟まれるので、枕部５０のずれを防止することができる。また、この下エプロンの内部には、使用者の背中であって左右対の第２押圧部３０の左右方向内側に対応する位置に、使用者の胴体における背中を後方から押圧する左右対の背中用エアセル（背中内側用エアセル）５２が設けられている。従って、エア給排気装置２０から第１押圧部２９及び背中内側用エアセル５２にエアが供給されると、第１押圧部２９により胴体の外側付近を前方から後方へ向けて押圧して枕部５０に保持し、背中内側用エアセル５２により胴体の内側付近を後方から前方へ向けて押圧することとなり、胸を左右に開くストレッチ動作を行うことができる。なお、他の形態２の枕部５０は、使用者と背凭れ部６との間に挟まれる下エプロン５１により、マッサージ実行中は上下方向へ移動する可動部として機能しないため、第１〜第４押圧部の各押圧によって肩部及び首部を上方へ牽引する距離は枕部７及び枕部４０よりも小さくなる。従って、ストレッチ動作（その２）の点においては、枕部５０の構成よりも枕部７又は枕部４０の構成の方が有利である。
【００２９】
なお、本発明の一実施形態では、各押圧部２９〜３２は、可動部として機能する枕部７に設けたものとしたが、枕部７を省略して背凭れ部６に直接設けたものとしてもよい。この場合、各押圧部２９〜３２は、背凭れ部６に固定された上下方向に位置調節させないものあってもよいし、例えば背凭れ部６内部に設けられた昇降機構を介して、背凭れ部６前面において上下方向に昇降可能とされた板状の可動部に設けられたものであってもよい。また、各押圧部２９〜３２は、エアセルにより構成されたものとしたが、電動モータ等により駆動される機械的構成を有する押圧部であってもよい。
【産業上の利用可能性】
【００３０】
本発明は、胸を開くストレッチ動作を行うことができ、マッサージ機への着座するときやマッサージを行わないときに、押圧部が邪魔にならないマッサージ機に適用することができる。
【符号の説明】
【００３１】
１  マッサージ機
２  座部
３  支持部
６  背凭れ部
７  枕部（可動部）
２１  制御部
２９  第１押圧部
３０  第２押圧部
３１  第３押圧部
３２  第４押圧部
４０  枕部（可動部）
５０  枕部
【図１】
2011125590.tif 000003
【図２】
2011125590.tif 000004
【図３】
2011125590.tif 000005
【図４】
2011125590.tif 000006
【図５】
2011125590.tif 000007
【図６】
2011125590.tif 000008
【図７】
2011125590.tif 000009
【図８】
2011125590.tif 000010
【図９】
2011125590.tif 000011
【図１０】
2011125590.tif 000012
【図１１】
2011125590.tif 000013